(57)【要約】      （修正有）【課題】変更可能な設定点を有する一又は複数の第１のグリッド素子を含む配電グリッドを制御するための方法を提供する。【解決手段】方法は、配電グリッドの消費目標値を観測時間ウインドウが終了する瞬間を参照して決定し、観測時間ウインドウにおいて、配電グリッドの所定の観測電気ノードにおける前記配電グリッドの消費を観測するステップと、第１のグリッド素子の設定点を制御するための制御手順を実行するステップとを含む。【選択図】なし【特許請求の範囲】
【請求項１】
配電グリッド（１００）を制御する方法（１）であって、前記配電グリッドは、変更可能な設定点を有する一又は複数の第１のグリッド素子（ＣＤ１、．．．、ＣＤＮ）を含み、前記方法は下記のステップ：
−  前記配電グリッドの所定の観測電気ノード（ＰＣＣ）において前記配電グリッドの消費が観測される観測時間ウインドウ（ＴＯＷ）が終了する瞬間（ｔＥ）における前記配電グリッドの消費目標値（ＥＣＴＶ）を決定するステップ（３）を含み、
前記第１のグリッド素子（ＣＤ１、．．．、ＣＤＮ）の設定点を制御するための制御手順（４０）を実行するステップ（４）を含むことを特徴とし、前記制御手順は下記のステップ：
−  前記観測時間ウインドウ（ＴＯＷ）内のチェックの瞬間（ｔＣ）における前記配電グリッドの一又は複数の検出された電気量に関する入力データ（ＤＩＮ）を取得するステップ（４０１）と、
−  前記チェックの瞬間（ｔＣ）において、前記観測電気ノード（ＰＣＣ）における消費測定値（ＥＣＭＶ）を計算するステップ（４０２）と、
−  前記観測時間ウインドウ（ＴＯＷ）が終了する瞬間（ｔＥ）における前記配電グリッドの消費予測値（ＥＣＦＶ）を計算するステップ（４０３）と、
−  前記第１のグリッド素子（ＣＤ１、．．．、ＣＤＮ）の一又は複数の設定点を変更するための介入基準が前記チェックの瞬間（ｔＣ）において満たされたか否かをチェックするステップ（４０４、４０６）と、
−  前記介入基準が満たされない場合、前記第１のグリッド素子（ＣＤ１、．．．、ＣＤＮ）の設定点を変えずに維持するステップ（４０５、４０７）と、
−  前記介入基準が満たされた場合、前記消費予測値（ＥＣＦＶ）が前記消費目標値（ＥＣＴＶ）に対する第１の収束基準を満たすか否かをチェックするステップ（４０８）と、
−  前記消費予測値（ＥＣＦＶ）が前記第１の収束基準を満たす場合、前記第１のグリッド素子（ＣＤ１、．．．、ＣＤＮ）の設定点を変えずに維持するステップ（４０９）と、
−  前記消費予測値（ＥＣＦＶ）が前記第１の収束基準を満たさず、前記第１のグリッド素子の設定点が前記チェックの瞬間（ｔＣ）の前に変更されていない場合、下記のステップ：
−  前記消費目標値（ＥＣＴＶ）に達するために前記配電グリッドに要求される電力変動値（△ＰＲＥＱ）を計算するステップ（４１０）と、
−  一又は複数の第１のグリッド素子（ＣＤ１、．．．、ＣＤＮ）に対して、△Ｐ−ｒ基準系の特性曲線を計算するステップ（４１１）と、
−  前記配電グリッドに対して、前記△Ｐ−ｒ基準系の特性曲線を計算するステップ（４１２）と、
−  前記配電グリッドの優先レベル（λ）を計算するステップ（４１３）と、
−  一又は複数の第１のグリッド素子（ＣＤ１、．．．、ＣＤＮ）の設定点を変更するための制御信号（ＣＯＮ）であって、前記配電グリッドに対して計算された優先レベル（λ）を示す情報を含む制御信号（ＣＯＮ）を供給するステップ（４１４）と
を実行すること
を含む方法。
【請求項２】
前記消費予測値（ＥＣＦＶ）が前記第１の収束基準を満たさず、前記第１のグリッド素子（ＣＤ１、．．．、ＣＤＮ）の設定点が前記観測時間ウインドウ（ＴＯＷ）内ですでに変更されている場合、前記制御手順（４０）が下記のステップ：
−  前記消費予測値（ＥＣＦＶ）が前記消費目標値（ＥＣＴＶ）に対して第２の収束基準を満たすか否かをチェックするステップ（４１５）と、
−  前記消費予測値（ＥＣＦＶ）が前記第２の収束基準を満たす場合、前記第１のグリッド素子（ＣＤ１、．．．、ＣＤＮ）の設定点を変えずに維持するステップ（４１６）と、
−  前記消費予測値（ＥＣＦＶ）が前記第２の収束基準を満たさない場合、下記のステップ：
−  前記消費目標値（ＥＣＴＶ）に達するために前記配電グリッドに要求される電力変動値（ＰＲＥＱ）を計算するステップ（４１７）と、
−  一又は複数の第１のグリッド素子（ＣＤ１、．．．、ＣＤＮ）に対して、△Ｐ−ｒ基準系の特性曲線を計算するステップ（４１８）と、
−  前記配電グリッドに対して、△Ｐ−ｒ基準系の特性曲線を計算するステップ（４１９）と、
−  前記配電グリッドの優先レベル（λ）を計算するステップ（４２０）と、
−  一又は複数の第１のグリッド素子（ＣＤ１、．．．、ＣＤＮ）の設定点を変更するための制御信号（ＣＯＮ）を提供するステップ（４２１）であって、前記制御信号は、前記配電グリッドに対して計算された優先レベル（λ）を示す情報を含む、提供するステップ（４２１）と
を実行すること
を含むことを特徴とする、請求項１に記載の方法。
【請求項３】
前記介入基準が満たされたか否かをチェックする前記ステップが、下記のステップ：
−  前記チェックの瞬間（ｔＣ）が前記観測時間ウインドウ（ＴＯＷ）に含まれる禁止時間ウインドウ（ＴＨＷ）内にあるか否かをチェックするステップ（４０４）と、
−  前記チェックの瞬間（ｔＣ）が所定の介入期間（△ＴＩ）の倍数であるか否かをチェックするステップ（４０６）と
を含むことを特徴とする、請求項１又は２に記載の方法。
【請求項４】
前記消費測定値（ＥＣＭＶ）は、前記配電グリッドの一又は複数の電気量に関する平均値（Ａ）に基づいて計算され、前記平均値は前記入力データ（ＤＩＮ）に基づいて計算されることを特徴とする、請求項１から３のいずれか一項に記載の方法。
【請求項５】
前記観測時間ウインドウ（ＴＯＷ）が終了する瞬間（ｔＥ）における前記配電グリッドの優先レベル（λ）を設定するステップ（５）を含むことを特徴とする、請求項１から４のいずれか一項に記載の方法。
【請求項６】
前記観測時間ウインドウ（ＴＯＷ）が終了する瞬間（ｔＥ）において、前記第１のグリッド素子の一又は複数の設定点を対応する所定値に設定するために、制御信号（ＣＯＮ）を生成するステップ（６Ａ）を含むことを特徴とする、請求項１から５のいずれか一項に記載の方法。
【請求項７】
前記観測時間ウインドウ（ＴＯＷ）が終了する瞬間（ｔＥ）において、前記第１のグリッド素子の設定点を変えずに維持するステップ（６Ｂ）を含むことを特徴とする、請求項６に記載の方法。
【請求項８】
前記観測時間ウインドウ（ＴＯＷ）が、前記配電グリッド（１００）に対して適応されるエネルギー支払請求期間に対応する継続期間を有することを特徴とする、請求項１から７のいずれか一項に記載の方法。
【請求項９】
前記配電グリッド（１００）が、変更不能な設定点を有する一又は複数の第２のグリッド素子（ＵＤ１、．．．、ＵＤＭ）を含むことを特徴とする、請求項１から８のいずれか一項に記載の方法。
【請求項１０】
記憶媒体に保存され、又は保存可能であり、請求項１から９のいずれか一項に記載の方法（１）を実行するためのソフトウェア命令を含むことを特徴とする、コンピュータプログラム（３５０）。
【請求項１１】
請求項１から９のいずれか一項に記載の方法（１）を実行するためのソフトウェア命令を実行するように構成された処理リソースを含むことを特徴とする、コンピュータ化されたデバイス（３００）
【請求項１２】
配電グリッド（１００）を制御するための制御装置（２００）であって、請求項１１に記載のコンピュータ化されたデバイス（３００）を備えることを特徴とする、制御装置（２００）。
【請求項１３】
請求項１１に記載のコンピュータ化されたデバイス（３００）を含むことを特徴とする、配電グリッド（１００）。
【請求項１４】
請求項１１に記載のコンピュータ化されたデバイス（３００）を含むことを特徴とするブレーカ。
【発明の詳細な説明】
【技術分野】
【０００１】
本発明は、配電グリッドを制御するための方法に関する。
【背景技術】
【０００２】
周知のように、現在の配電グリッドは通常、主に互いに独立して負荷又は発電機として動作する膨大な量の異なる電気装置を備える。
これら電気装置の動作の協調性喪失によりどのように、高ピークの電力消費量が引き起こされうるかは経験上分かっており、これは時間が経つにつれてかなり可変でありうる。
【０００３】
制御されていない電力消費レベルの上昇は、配電グリッドの故障、及び／又は過負荷保護装置の介入につながり、これに関連して起こりうるユーザの不快感が伴いうる。
更に、制御されていない電気エネルギー需要の増加により、電気エネルギー供給者へ高い罰金を支払う負担が生じうる。
【０００４】
配電グリッドの消費挙動を能動的に管理するために現在利用可能な制御方法では、満足のいく性能が得られない。
一般にこれらの制御方法は、幾つかの不利点を被る、既定の電力平均分配スキーム（例：負荷制限スキーム）の適応に基づくものである。
【０００５】
これらは主に、負荷遮断の基礎として即時測定を適応する、すなわち、電力消費量が固定閾値を超えたときすぐに、電気負荷を遮断する。これにより、モータ始動時等の過渡電流の場合に、電気負荷の不必要な遮断が起こりうる。
更に、現在利用可能な制御方法は多くの場合、局所レベルで電気エネルギーを供給する発電機（例：バッテリ、光起電システム、太陽光発電システム、風力発電システム、ディーゼル発電システム等）が取り付けられた配電グリッドの消費挙動を管理するのに不適切であることが分かっている。
【０００６】
更に、現在利用可能な制御方法は一般に、最近の配電グリッドに取り付けられた電気負荷又は発電機のほとんどが、時が経つにつれ動的に変化しうる設定点を有する事実を余すところなく利用するようには適応されていない。
従って市場では、配電グリッドの消費挙動の効果的な管理を提供することができ、これにより、望ましくない過負荷保護の介入、及びエネルギー供給者へ罰金を支払う負担を回避する又は軽減する制御方法の需要がいまだ感じられる。
【発明の概要】
【０００７】
この必要に応えるために、本発明は、下記の請求項１及び関連の従属請求項に係る配電グリッドを制御するための方法を提供する。
一般的定義では、本発明は、可変の設定点を有する一又は複数の第１のグリッド素子を備える配電グリッドを制御するための方法に関する。
【０００８】
本発明に係る方法は、観測時間ウインドウが終了する瞬間に配電グリッドの消費目標値を決定するステップであって、観測時間ウインドウにおいて、前記配電グリッドの所定の観測電気ノードにおける前記配電グリッドの消費が観測されるステップを含む。
本発明に係る方法は、前記第１のグリッド素子の設定点を制御するための制御手順を実行するステップを含む。
【０００９】
本発明によれば、前記制御手順は以下のステップ：
−  前記観測時間ウインドウ内のチェックの瞬間における前記配電グリッドの一又は複数の検出された電気量に関する入力データを取得するステップ、
−  前記チェックの瞬間の前記観測電気ノードにおける消費の測定値を計算するステップ、
−  前記観測時間ウインドウが終了する瞬間における前記配電グリッドの消費予測値を計算するステップ、
−  前記第１のグリッド素子の一又は複数の設定点を変更するための介入基準が前記チェックの瞬間に満たされたか否かをチェックするステップ、
−  前記介入基準が満たされていない場合、前記第１のグリッド素子の設定点を変更せずに維持するステップと、
−  前記介入基準が満たされた場合、消費予測値が、消費目標値に対して第１の収束基準を満たすか否かをチェックするステップと、
−  消費予測値が前記第１の収束基準を満たした場合、前記第１のグリッド素子の設定点を変更せずに維持するステップと、
−  前記消費予測値が前記第１の収束基準を満たしておらず、前記第１のグリッド素子の設定点が前記チェックの瞬間の前に変更されていない場合に、以下のステップ：
−  前記消費目標値に達するために前記配電グリッドに要求される電力変動値を計算するステップと、
−  一又は複数の第１のグリッド素子に対して、△Ｐ−ｒ基準系での特性曲線を計算するステップと、
−  前記配電グリッドに対して、前記△Ｐ−ｒ基準系での特性曲線を計算するステップと、
−  前記配電グリッドの優先レベルを計算するステップと、
−  一又は複数の第１のグリッド素子の設定点を変更するために、前記配電グリッドに対して計算された優先レベルを示す情報を含む制御信号を供給するステップと
を実行させるステップと
を含む。
【００１０】
前記消費予測値が前記第１の収束基準を満たさず、前記第１のグリッド素子の設定点が前記観測時間ウインドウ内ですでに変更されている場合、前記制御手順（４０）が以下のステップ：
−  前記消費予測値が、前記消費目標値に対して第２の収束基準を満たすか否かをチェックするステップ、
−  前記消費予測値が前記第２の収束基準を満たす場合、前記第１のグリッド素子の設定点を変更せずに維持するステップ、
−  前記消費予測値が前記第２の収束基準を満たさない場合、前記以下のステップ：
−  前記消費目標値に達するために要求される前記配電グリッドの電力変動値を計算するステップ、
−  一又は複数の第１のグリッド素子に対して、△Ｐ−ｒ基準系の特性曲線を計算するステップ、
−  前記配電グリッドに対して、前記△Ｐ−ｒ基準系の特性曲線を計算するステップ、
−  前記配電グリッドの優先レベルを計算するステップ、
−  一又は複数の第１のグリッド素子の設定点を変更するために、前記配電グリッドに対して計算された優先レベルを示す情報を含む制御信号を供給するステップ
を実行させるステップ
を含むことが好ましい。
【００１１】
前記介入基準が満たされたか否かをチェックする前記ステップが、以下のステップ：
−  前記チェックの瞬間が、前記観測時間ウインドウに含まれる禁止時間ウインドウ（ＴＨＷ）内であるか否かをチェックするステップ、
−  前記チェックの瞬間が既定の介入期間の倍数であるか否かをチェックするステップ
を含むことが好ましい。
【００１２】
前記消費の測定値が、前記配電グリッドの一又は複数の電気量に関連する平均値を基に計算され、前記平均値は前記入力データを基に計算されることが好ましい。
本発明に係る方法は、前記観測時間ウインドウが終了する瞬間において前記配電グリッドの優先レベルを設定するステップを含むことが好ましい。
【００１３】
本発明に係る方法は、前記観測時間ウインドウが終了する瞬間の対応する既定値に前記第１のグリッド素子の一又は複数の設定点を設定するために制御信号を生成するステップ、又は前記観測時間ウインドウが終了する瞬間の前記第１のグリッド素子の設定点を変更せずに維持するステップを含むことが好ましい。
前記観測時間ウインドウが、前記配電グリッドに適応したエネルギー支払請求期間に対応する持続期間を有することが好ましい。
【００１４】
本発明に係る方法は、後続の既定の時間ウインドウにわたって配電グリッドの消費を制御するために、配電グリッドの構成の協調管理を提供する。
具体的には、本発明に係る方法は、取り付けられたグリッド素子の設定点を動的に、また適応的に管理して、前記後続の既定の時間ウインドウにわたって最適な消費目標を達成することを可能にする。
【００１５】
本発明に係る方法は、配電グリッドの動作条件に従って簡単に調節及び適応可能な消費管理基準を適応する。
更なる態様では、本発明は下記の請求項１１に記載のコンピュータプログラムに関するものである。
【００１６】
更なる態様では、本発明は下記の請求項１２に記載のコンピュータ化装置に関するものである。
更なる態様では、本発明は下記の請求項１３に記載の制御装置に関するものである。
更なる態様では、本発明は、下記の請求項１４に記載の回路遮断器（例：配線用遮断器又は気中遮断器）に関するものである。
本発明の更なる特徴及び利点は、単なる例示として非限定的に添付の図面に示す、好ましいが非限定的な実施形態の説明からより明らかとなろう。
【図面の簡単な説明】
【００１７】
【図１】本発明に係る配電グリッドと、配電グリッドの制御装置とを示す概略図である。
【図２】本発明に係る方法を概略的に示す図である。
【図３】本発明に係る方法を概略的に示す図である。
【図４】本発明に係る方法を概略的に示す図である。
【図５】本発明に係る方法を概略的に示す図である。
【図６】本発明に係る方法を概略的に示す図である。
【図７】本発明に係る方法を概略的に示す図である。
【図８】本発明に係る方法を概略的に示す図である。
【図９Ａ】本発明に係る方法を概略的に示す図である。
【図９Ｂ】本発明に係る方法を概略的に示す図である。
【図１０Ａ】本発明に係る方法を概略的に示す図である。
【図１０Ｂ】本発明に係る方法を概略的に示す図である。
【図１１Ａ】本発明に係る方法を概略的に示す図である。
【図１１Ｂ】本発明に係る方法を概略的に示す図である。
【図１２】本発明に係る方法を概略的に示す図である。
【００１８】
言及した図面を参照すると、本発明は、低又は中間電圧の配電グリッド１００を制御するための方法１に関するものである。
本発明のフレームワーク内での「低電圧」という語は、最大１ｋＶ  ＡＣ及び１．５ｋＶ  ＤＣの作動電圧に関し、「中間電圧」という語は、１ｋＶ  ＡＣ及び１．５ｋＶ  ＤＣを上回る最大数十ｋＶ、例えば７２ｋＶ  ＡＣ及び１００ｋＶ  ＤＣの作動電圧に関する。
【００１９】
配電グリッド１００は、比較的大きな工業用建物、商業用建物及び居住用建物又はプラント用の電気ネットワークであってよい。これは一例として、０．０５ＭＷと１０ＭＷの間の範囲に含まれる平均電力消費によって特徴づけられうる。
配電グリッド１００は、例えば発電ユティリティであってよい、又は複数の同時発電システム又はプラントを含みうる電源１５０によって供給される。
【００２０】
配電グリッド１００は、電気負荷として動作するように適応された（すなわち電源１５０及び／又は幾つかの発電機によって供給される電気エネルギーを消費するように適応された）又は発電機として動作するように適応された（すなわち電源１５０及び／又は幾つかの電気負荷に電力を供給するように適応された）一又は複数のグリッド素子ＣＤ１、．．．、ＣＤＮ、ＵＤ１、．．．、ＵＤＭを含む。
図１に示すように、グリッド素子ＣＤ１、．．．、ＣＤＮ、ＵＤ１、．．．、ＵＤＭは、複数のレベル構成に従って異なるグリッドブランチに配置することができる。
【００２１】
しかしながら、必要に応じて異なる構成が可能である。
配電グリッド１００は、変更可能な設定点を有する、すなわち配電グリッドの動作中に変更できる設定点を有する一又は複数の第１のグリッド素子ＣＤ１、．．．、ＣＤＮを含む。
【００２２】
配電グリッド１００はまた、例えばこの配電グリッドに対して付与される管理要件又は制約のために、変更不能な設定点を有する、すなわち配電グリッドの動作中に変更できない設定点を有する一又は複数の第２のグリッド素子ＵＤ１、．．．、ＵＤＭも含みうる。
明快にするために、所定のグリッド素子ＣＤ１、．．．、ＣＤＮ、ＵＤ１、．．．、ＵＤＭは、それ自体の特定構造又は可能な動作モードによってではなく、配電グリッド１００の前記グリッド素子に対して予測される動作によって、変更可能な又は変更不能な設定点を有すると見なされうることを明記することが重要である。
【００２３】
従って、原則的に異なる設定点で動作しうる所定のグリッド素子（例：発電機）は、配電グリッドの動作中１００にそのグリッド素子に介入することができない場合、変更不能な設定点を有すると見なされる。
逆に、原則的に既定の設定点においてのみ動作できる所定のグリッド素子（例：オン／オフ電気負荷）は、配電グリッド１００の動作中に特定要件なしに必要に応じてオン／オフの切替ができる場合、変更可能な設定点を有すると見なされる。
【００２４】
これは簡単にわかりうることであるが、第１のグリッド素子ＣＤ１、．．．、ＣＤＮと第２のグリッド素子ＵＤ１、．．．、ＵＤＭは両方とも電気負荷として動作するように、あるいは発電機として動作するように適応されうる。一例として、これにはドライバ、オン／オフロード（ｏｎ／ｏｆｆ  ｌｏａｄｓ）、バッテリ、コンデンサバンク、電流又は電圧ジェネレータ等が含まれうる。
これらが配電グリッド１００の動作中に変更可能であったとしても、第１のグリッド素子ＣＤ１、．．．、ＣＤＮの動作設定点はいずれにしろ、技術的制約及び／又は時間的制約の影響下にあることが明らかである。
【００２５】
技術的制約の例は、第１のグリッド素子の類型又は性質によって付与される技術要件である。
時間的制約の例を下記に記す。
−  電気負荷又はジェネレータの最長接続解除時間（ｔｍａｘ、ｔｍｉｎ、ｏｆｆ）：このパラメータは、電気負荷又はジェネレータを配電グリッドから接続解除できる最長期間を表す。
−  電気負荷又はジェネレータの最短接続解除時間（ｔｍａｘ、ｏｆｆ）：このパラメータは、配電グリッドが一旦オフになると、電気負荷又はジェネレータを配電グリッドへ再接続できない最短期間を表す。
−  電気負荷又はジェネレータの最短接続時間（ｔｍａｘ、ｔｍｉｎ、ｏｎ）：このパラメータは、配電グリッドが一旦オンになったときに、電気負荷又はジェネレータが配電グリッドへ接続される際に要求される最短期間を表す。
【００２６】
これらは配電グリッド１００の動作中に変更可能な設定点を有し、第１のグリッド素子ＣＤ１、．．．、ＣＤＮの設定点は、所定の優先順位で有利に割り当てられ得、優先順位は、変更する必要があるときに前記設定点が変更されるべき順番を示す数値（指標）である。
下記からより良くわかるように、各動作の瞬間に、各第１のグリッド素子ＣＤ１、．．．、ＣＤＮの動作は、△Ｐ−ｒ基準系の特性曲線によって表すことができ、Ｐは、前記第１のグリッド素子の設定点が変化したときに前記第１のグリッド素子によって供給されうる電力の（正又は負）変動であり、ｒは、変更される前記第１のグリッド素子の設定点に割り当てられた優先順位である。
【００２７】
明快にするために、本発明の枠組みにおいて、「△Ｐ−ｒ基準系」は素子、装置又はグリッドの設定点を変更することによって素子、装置又はグリッドによって供給されうる電力の変動が、前記素子、装置又はグリッドの設定点に割り当てられた優先順位の関数として表される基準系（例：デカルトタイプの基準系）であることをここで特定する。
配電グリッド１００は、電源１５０から／電源１５０で一又は複数のグリッド素子ＣＤ１、．．．、ＣＤＮ、ＵＤ１、．．．、ＵＤＭ又は一又は複数のグリッドブランチを接続解除する／接続するための一又は複数の制御可能なスイッチング素子Ｂ１、．．．、ＢＫを有利に備える。
【００２８】
スイッチング素子Ｂ１、．．．、ＢＫは例えば、ブレーカ、接触器、Ｉ−Ｏインターフェース、通信インターフェース又はその他同様の素子を含みうる。
本発明に係る方法は、既定の観測時間ウインドウＴＯＷにわたって、この配電グリッド１００の既定の観測電気ノードＰＣＣにおいて配電グリッド１００の消費を制御することを提供する。
【００２９】
明快にするために、本発明の枠組みにおいて、「消費」という語はエネルギー消費、平均電力消費、又はその他後者に等しい物理量に関するものであるべきことをここに記載し、「電力」という語は特定の必要に応じて、「有効電力」、「無効電力」又は「皮相電力」とも称されうることもここに記載する。
本発明に係る方法は、配電グリッド１００の動作中に後続の観測時間ウインドウＴＯＷにおいて循環的に実行される。
【００３０】
観測電気ノードＰＣＣは、配電グリッド１００の消費活動が観測されるべき、配電グリッド１００のいずれかの電気ノードである。
観測電気ノードＰＣＣは、必要性に応じて、例えば配電グリッド１００に対して要求される管理制約に従って選択されうる。
【００３１】
観測時間ウインドウＴＯＷは、観測電気ノードＰＣＣにおける配電グリッド１００の消費が観測される期間である。
観測時間ウインドウＴＯＷは、電力を配電グリッド１００へ供給する電気エネルギー供給者によって適応されるエネルギー支払請求期間（例：１５分）に対応する継続期間を有することが好ましい。
【００３２】
しかしながら、観測時間ウインドウＴＯＷの持続期間は、必要に応じて選択されうる。
異なる持続期間の観測時間ウインドウＴＯＷは従って、配電グリッド１００の動作寿命の間に採用されうる。
各観測時間ウインドウＴＯＷは、開始する瞬間ｔＳと終了する瞬間ｔＥを有する。
【００３３】
各観測時間ウインドウＴＯＷの開始する瞬間ｔＳは、直前の観測時間ウインドウが終了する瞬間ｔＥと一致するように選択されることが好ましい。
配電グリッド１００の動作寿命の間に採用される、後に続く観測時間ウインドウＴＯＷの開始する瞬間ｔＳが、例えば一日一回等、定期的に電源１００から受ける基準信号と同期することが好ましい。
【００３４】
本発明によれば、方法１は、観測時間ウインドウＴＯＷが終了する瞬間ｔＥにおける（その観測電気ノードＰＣＣにおける）配電グリッド１００の消費目標値ＥＣＴＶを決定するステップ３を含む。
消費目標値ＥＣＴＶは、観測時間ウインドウＴＯＷの終了時に配電グリッド１００によって達成されるよう要求される消費レベルを表す。
【００３５】
消費目標値ＥＣＴＶは、配電グリッド１００の進行中の動作条件に依存し、これにより１つの観測時間ウインドウＴＯＷから別の観測時間ウインドウへ変化しうる。
消費目標値ＥＣＴＶは、観測時間ウインドウＴＯＷの間に配電グリッド１００に対して要求され、例えばグリッドマネージャによって又は電気エネルギー供給者によって確立される管理制約を満たすように、有利に選択される。
【００３６】
本発明によれば、方法１は、配電グリッド１００の第１のグリッド素子ＣＤ１、．．．、ＣＤＮの設定点を制御するための制御手順４０を実行するステップ４を含む。
一般的には、制御手順４０は、観測時間ウインドウＴＯＷの間の配電グリッド１００の消費に応じて、配電グリッド１００が前記観測時間ウインドウＴＯＷの予測される消費目標値ＥＣＴＶを達成するように、第１のグリッド素子ＣＤ１、．．．、ＣＤＮの設定点の調整を目的とした一連の制御ステップを含む。
【００３７】
制御手順４０は、観測時間ウインドウＴＯＷに含まれる一又は複数の既定のチェックの瞬間ｔＣで有利に実行される。
各チェックの瞬間ｔＣは、観測時間ウインドウＴＯＷの開始する瞬間ｔＳから開始するために測定された、既定のサンプリング期間△ＴＳ（例：１秒）の倍数であることが好ましい。実際には、各チェックの瞬間は、ｔＣ＝Ｋ１＊△ＴＳとして定義され得、ここでＫ１は、開始する瞬間ｔＳから開始するためにカウントされる正の整数である。
【００３８】
以下から明らかとなるように、観測時間ウインドウＴＯＷの各チェックの瞬間ｔＣにおいて、制御手順４０は、観測電気ノードＰＣＣにおける配電グリッド１００の実際の消費を測定し、配電グリッド１００の実際の消費が予測される消費目標値ＥＣＴＶに適合するか否かをチェックし、消費目標値ＥＣＴＶを達成するのに必要である場合に、第１のグリッド素子ＣＤ１、．．．、ＣＤＮの設定点を変更するために制御信号ＣＯＮを供給することを提供する。
以下からより明らかとなるように、本発明によれば、第１のグリッド素子ＣＤ１、．．．、ＣＤＮの任意の可能な介入が、制御手順４０が実行されるチェックの瞬間ｔＣが観測時間ウインドウＴＯＷに含まれる既定の禁止時間ウインドウＴＨＷに含まれないとき、及び前記チェックの瞬間が、観測時間ウインドウＴＯＷの開始する瞬間ｔＳから開始するために測定された既定の介入期間△ＴＩ（例：６０秒）の倍数であるときのみに起こる。
【００３９】
制御手順４０を以下に説明する。
本発明によれば、制御手順４０は、観測時間ウインドウＴＯＷに含まれるチェックの瞬間ｔｃにおける配電グリッドの一又は複数の検出電気量に関する入力データＤＩＮを取得するステップ４０１を含む。
【００４０】
入力データＤＩＮは、一又は複数のグリッド素子ＣＤ１、．．．、ＣＤＮ、ＵＤ１、．．．、ＵＤＭの作動に関係する任意の適切な電気量に関連し得、観測電気ノードＰＣＣにおける配電グリッドの実際の消費を測定することが可能になる。
入力データＤＩＮは、配電グリッドの一又は複数の検出装置４００（例：電圧センサ、電流センサ等）によって供給されることが好ましい。
【００４１】
しかしながら、本発明の幾つかの変形例によれば、入力データＤＩＮは、配電グリッド１００の一又は複数のグリッド素子ＣＤ１、．．．、ＣＤＮ、ＵＤ１、．．．、ＵＤＭの作動特性を表す表またはデータベースから導出されるデータも含みうる。
本発明によれば、制御手順４０は、チェックの瞬間ｔｃにおいて、観測電気ノードＰＣＣにおける消費測定値ＥＣＭＶを計算するステップ４０２を含む。
【００４２】
測定値ＥＣＭＶの計算が、制御手順４０の前のステップ４０１で取得した入力データＤＩＮを基にしたものであることに利点がある。
測定値ＥＣＭＶは、配電グリッド１００の一又は複数の電気量の平均値Ａを基に計算されることが好ましい。次に、必要に応じて選択されうる適切な計算時間ウインドウにわたって（既知の種類の計算アルゴリズムに従って）移動平均の計算を実施することによって、入力データＤＩＮを基にこれらの平均値Ａが計算されうる。
【００４３】
観測電気ノードＰＣＣにおける配電グリッドの実際の消費を表す（連続的な線によって表される）曲線の概略的な例を示す図５を参照する。上記曲線は、対応する後続のチェックの瞬間ｔＣに計算された測定値ＥＣＭＶのシーケンスを概略的に示す。
本発明によれば、制御手順４０は、配電グリッド１００の消費予測値ＥＣＦＶを計算するステップ４０３を含む。消費予測値ＥＣＦＶが、観測時間ウインドウＴＯＷが終了する瞬間ｔＥを参照したものであることに利点がある。
【００４４】
基本的に、消費予測値ＥＣＦＶは、観測電気ノードＰＣＣにおける配電グリッドの消費レベルの予測を表し、これは、チェックの瞬間ｔＣに測定された実際の消費レベルを考慮して、観測時間ウインドウＴＯＷが終了する瞬間ｔＥにおける配電グリッド１００によって達成される可能性が高い。
配電グリッドの（終了する瞬間ｔＥにおける）消費予測を示す（点線によって提示される）曲線の概略的な例である図５を参照する。上記曲線は、対応する後続のチェックの瞬間において計算された予測値ＥＣＦＶのシーケンスを概略的に示したものである。
【００４５】
消費予測値ＥＣＦＶが、チェックの瞬間ｔＣにおける配電グリッド１００の実際の消費に基づいて、つまり、チェックの瞬間ｔＣにおける実際の消費を示す消費測定値ＥＣＭＶに基づいて計算されることが好ましい。
一例として、各チェックの瞬間ｔＣにおいて、消費予測値ＥＣＦＶは下記の関係：
2018050447.tif 000002
に従って計算されうる。
上記式において、ＥＣＭＶ（ｔＣ）は、チェックの瞬間ｔＣにおける（観測電気ノードＰＣＣにおける）消費測定値ＥＣＭＶであり、ｔＥ−ｔＣは、（チェックの瞬間ｔＣから開始するために）観測時間ウインドウＴＯＷが終了する前の残留時間間隔である。
【００４６】
本発明によれば、制御手順４０は、一又は複数の第１のグリッド装置ＣＤ１、．．．、ＣＤＮの設定点を変更するための介入基準がチェックの瞬間ｔＣにおいて満たされるか否かをチェックするステップ４０４、４０６を含む。
下記から理解することが可能になるように、前記介入基準は、制御手順４０を実行するために利用可能な処理リソースを考慮した制御手順４０が安定して、また正確に実行されるようにチェックされる。
【００４７】
記載された介入基準は、観測時間ウインドウＴＯＷ内のチェックの瞬間ｔＣのタイミングのみを考慮し、配電グリッドの消費活動とは関連していないことが好ましい。
前記介入基準は、チェックの瞬間ｔＣが禁止時間ウインドウＴＨＷ以外であるべきである条件を含むことが好ましい。禁止時間ウインドウＴＨＷは観測時間ウインドウＴＯＷに含まれ、開始する瞬間ｔＳから開始するように計算された既定の継続期間を有する。
【００４８】
上記介入条件は、計算された予測値ＥＣＦＶのシーケンスがチェックの瞬間ｔＣにおいて十分に安定化されるように、有利にチェックされる。
前記介入基準は、チェックの瞬間ｔＣが、観測時間ウインドウＴＯＷが開始する瞬間ｔＳから開始するように測定される所定の介入期間△ＴＩの倍になるべきである条件を含むことが好ましい。
【００４９】
実際には、前記介入基準は、ｔＣ＝Ｋ２＊△ＴＩが成り立つ条件を含み、前記式においてＫ２は、開始する瞬間ｔＳから開始するようにカウントされる正の整数である。
有利なことに、介入期間△ＴＩ（例：６０秒）は、予め定められ、サンプリング期間△ＴＳよりも長く、有利なことにサンプリング期間の倍である。
【００５０】
介入期間△ＴＩは、制御手順４０のステップを実行する、具体的には第１のグリッド素子ＣＤ１、．．．、ＣＤＮの設定点を変更するために可能な制御信号を供給するように利用可能な処理リソース、に基づいて設定されることが好ましい。
上述した介入基準が満たされない場合、制御手順４０は、第１のグリッド素子ＣＤ１、．．．、ＣＤＮの設定点を変えずに維持することを提供する。この場合、制御手順４０は終了し、制御手順４０は、次のチェックの瞬間ｔＣ＋△ＴＳにおいて実行される。
【００５１】
記載された介入基準が満たされた場合、制御手順４０は、観測時間ウインドウＴＯＷが終了する瞬間ｔＥにおいて達成されるべき消費目標値ＥＣＴＶに関して、チェックの瞬間ｔＣにおいて配電グリッド１００の消費活動をチェックすること（ステップ４０８）に進む。
介入基準が、チェックの瞬間ｔＣが禁止時間ウインドウＴＨＷ内であるか否かをチェックするステップ４０４と、チェックの瞬間ｔＣが介入期間△ＴＩの倍数であるか否かをチェックするステップ４０６を含むか否かをチェックするステップが好ましい。
【００５２】
本発明の好ましい実施形態（図３）において、上述した消費予測値ＥＣＦＶを計算するステップ４０３の後に、制御手順４０は、チェックの瞬間ｔＣが禁止時間ウインドウＴＨＷ内であるか否かをチェックするステップ４０４を含む。
チェックの瞬間ｔＣが禁止時間ウインドウＴＨＷ内である場合、制御手順４０は、第１のグリッド素子ＣＤ１、．．．、ＣＤＮの設定点を変えずに維持するステップ４０５を含む。この場合、制御手順４０は終了し、下記のチェックの瞬間ｔＣ＋△ＴＳにおいて実行される。
【００５３】
チェックの瞬間ｔＣが禁止時間ウインドウＴＨＷ内でない場合、制御手順４０は、チェックの瞬間ｔＣが介入期間△ＴＩの倍数であるか否かをチェックするステップ４０６を含む。
チェックの瞬間ｔＣが介入期間△ＴＩの倍数でない場合、制御手順４０は、第１のグリッド素子ＣＤ１、．．．、ＣＤＮの設定点を変えずに維持するステップ４０７を含む。この場合、制御手順４０は終了し、下記のチェックの瞬間ｔＣ＋△ＴＳにおいて実行される。
【００５４】
チェックの瞬間ｔＣが介入期間△ＴＩの倍数である場合、上記の介入基準が満たされ、制御手順４０は、配電グリッド１００の消費活動をチェックすること（ステップ４０８）へ進む。
本発明によれば、前記介入基準が満たされた場合、制御手順４０は、消費予測値ＥＣＦＶが消費目標値ＥＣＴＶに対して第１の収束基準を満たすか否かをチェックするステップ４０８を含む。
【００５５】
好ましくは、前記第１の収束基準によれば、チェックの瞬間ｔＣにおける消費予測値ＥＣＦＶは、下記条件：
｛ＥＣＦＶ＜＝Ｅ１；ＥＣＦＶ＞＝Ｅ２｝
を満たさなければならない。
上記式において、Ｅ１、Ｅ２はそれぞれ、第１及び第２の既定の境界値であり、Ｅ１＞Ｅ２である。
実際には、ステップ４０８において、制御手順４０は、消費予測値ＥＣＦＶが第１の許容域ＴＲ１内であるか否かをチェックすることを提供し、第１の許容域ＴＲ１は、消費目標値ＥＣＴＶに収束させる第１及び第２の既定の境界Ｂ１、Ｂ２によって定義される。
【００５６】
前記既定の境界は、第１のグリッド素子ＣＤ１、．．．、ＣＤＮに介入することなく消費目標値ＥＣＴＶを達成させる最大及び最小の消費予測絶対値のシーケンスを示すものである。
第１及び第２の既定の境界Ｂ１、Ｂ２は多項式曲線として計算されることが好ましく、多項式曲線は、配電グリッドの（観測時間ウインドウＴＯＷにおける）全体的な消費が消費目標値ＥＣＴＶを上回らない限り、一又は複数の瞬間に（グリッド素子の全体数に基づいて）配電グリッドのために設定された最大消費値を（著しく）上回るように最適化される。
【００５７】
前記既定の境界を、消費目標値ＥＣＴＶに収束する境界線Ｂ１、Ｂ２を一致させ、消費目標値ＥＣＴＶを観測時間ウインドウＴＯＷが終了する瞬間ｔＥに交差させることによって概略的に示す図５〜８を参照する。
図６を参照すると、消費予測値ＥＣＦＶが下記条件：
｛ＥＣＦＶ＞Ｅ１；ＥＣＦＶ＞Ｅ２｝
を満たす状況が示されている。
【００５８】
この条件は、上述の第１の収束基準を満たさない。従って、観測時間ウインドウＴＯＷが終了する瞬間ｔＥに消費目標値ＥＣＴＶに達するように、一又は複数の第１のグリッド素子ＣＤ１、．．．、ＣＤＮの設定点を変更することが必要になる。
より具体的には、消費予測値ＥＣＦＶが第１の許容域ＴＲ１に対して高すぎると、観測時間ウインドウＴＯＷが終了する前に残留時間間隔ｔＥ−ｔＣにおける配電グリッドの消費が削減するように、一又は複数の第１のグリッド素子ＣＤ１、．．．、ＣＤＮの設定点を変更することが必要になる。
【００５９】
消費予測値ＥＣＦＶが以下の条件：｛ＥＣＦＶ＜Ｅ１；ＥＣＦＶ＞Ｅ２｝を満たす状況を示す図７を参照する。
この条件は、上述の第１の収束基準を満たす。従って、観測時間ウインドウＴＯＷが終了する瞬間ｔＥに消費目標値ＥＣＴＶに達するように、第１のグリッド素子ＣＤ１、．．．、ＣＤＮの設定点を変更することは不必要になる。
【００６０】
消費予測値ＥＣＦＶが以下の条件｛ＥＣＦＶ＜Ｅ１；ＥＣＦＶ＜Ｅ２｝を満たす状況を示す図８を参照する。
この条件は、上述の第１の収束基準を満たさない。従って、観測時間ウインドウＴＯＷが終了する瞬間ｔＥにおいて消費目標値ＥＣＴＶに達するように、一又は複数の第１のグリッド素子ＣＤ１、．．．、ＣＤＮの設定点を変更することが可能になる。
【００６１】
より具体的には、消費予測値ＥＣＦＶが第１の許容域ＴＲ１に対して低すぎると、観測時間ウインドウＴＯＷが終了する前に残留時間間隔ｔＥ−ｔＣにおける配電グリッドの消費が増加するように、一又は複数の第１のグリッド素子ＣＤ１、．．．、ＣＤＮの設定点を変更することが可能になる。
本発明によれば、上記第１の収束基準が計算された消費予測値ＥＣＦＶによって満たされた場合、制御手順４０は、第１のグリッド素子ＣＤ１、．．．、ＣＤＮの設定点を変えずに維持するステップ４０９を含む。この場合、制御手順４０は終了し、次のチェックの瞬間ｔＣ＋△ＴＳに実行されることになる。
【００６２】
本発明によれば、上記の第１の収束基準が、計算された消費予測値ＥＣＦＶによって満たされない場合、制御手順４０は、チェックの瞬間ｔＣの前の観測時間ウインドウＴＯＷの間に第１のグリッド素子ＣＤ１、．．．、ＣＤＮの設定点がすでに変更されているか否かにより、異なるシーケンスのステップを提供することが好ましい。
本発明によれば、上記の第１の収束基準が計算された消費予測値ＥＣＦＶによって満たされず、チェックの瞬間ｔＣの前の観測時間ウインドウＴＯＷの間に少なくとも１回もまだ第１のグリッド素子ＣＤ１、．．．、ＣＤＮの設定点が変更されていない場合、制御手順４０は、第１のグリッド素子ＣＤ１、．．．、ＣＤＮの設定点を変更するための第１のシーケンスのステップ４１０−４１４を含む。
【００６３】
上述した第１のシーケンスのステップによれば、制御手順４０は、観測時間ウインドウＴＯＷが終了する前の残留時間間隔ｔＥ−ｔＣにおいて消費目標値ＥＣＴＶに達するために配電グリッドに要求される、要求電力変動値△ＰＲＥＱを計算するステップ４１０を含む。
要求電力変動値△ＰＲＥＱは、消費目標値ＥＣＴＶに達するために観測電気ノードＰＣＣにおいて消費されるべき有効電力を表すことが好ましい。
一例として、各チェックの瞬間ｔＣにおいて、下記関係：
2018050447.tif 000003
に従って要求電力変動値△ＰＲＥＱを計算することができる。上記式において、ＥＣＦＶ（ｔＣ）は、チェックの瞬間ｔＣにおいて計算された消費予測値であり、ｔＥ−ｔＣは、観測時間ウインドウＴＯＷが終了する前の残留時間間隔である。
【００６４】
消費予測値ＥＣＦＶが第１の許容域ＴＲ１に対して高すぎるときの要求電力変動値△ＰＲＥＱは、正になることが分かっている（図６）。実際、この場合、配電グリッド１００の消費を削減して、観測時間ウインドウＴＯＷが終了する瞬間ｔＥに消費目標値ＥＣＴＶに達するように、第１のグリッド素子ＣＤ１、．．．、ＣＤＮの設定点を変えることが可能である。
一方で、消費予測値ＥＣＦＶが第１の許容域ＴＲ１に対して低すぎるときの要求電力変動値△ＰＲＥＱは、負である（図６）。実際、この場合、配電グリッド１００の消費を増加して、観測時間ウインドウＴＯＷが終了する瞬間ｔＥに消費目標値ＥＣＴＶに達するように、第１のグリッド素子ＣＤ１、．．．、ＣＤＮの設定点を変える必要がある。
【００６５】
上述した第１のシーケンスのステップによれば、制御手順４０は、一又は複数の第１のグリッド素子ＣＤ１、．．．、ＣＤＮに対して、△Ｐ−ｒ基準系の特性を計算するステップ４１１を含み、Ｐは、電力の利用可能な変数であり、ｒは、前記第１のグリッド素子の設定点に割り当てられた優先順位である。
△Ｐ−ｒ基準系の上述した特性曲線は、チェックの瞬間ｔＣにおいて活動している第１のグリッド素子ＣＤ１、．．．、ＣＤＮについてのみ計算される。
【００６６】
明快にするために、ここで、グリッド素子は、いかなる理由においても配電グリッド１００から接続解除されず、完全に動作しうるときに「活動している」と見なされると述べておく。
制御手順４０のステップ４１１は、各チェックの瞬間ｔＣにおいて、各第１のグリッド素子ＣＤ１、．．．、ＣＤＮの動作が、（前記第１のグリッド素子の設定点が変更されるときの）前記第１のグリッド素子の利用可能な（正又は負の）電力の変動△Ｐを前記第１のグリッド素子の設定点に割り当てられた優先順位ｒの関数として表す特性曲線によって提示されうる、上述した状況に基づくものである。
【００６７】
所定の第１のグリッド素子の特性曲線は、前記第１のグリッド素子の観測時間ウインドウＴＯＷの開始する瞬間ｔＳにおいて確立された設定点に基づいて、また前記第１のグリッド素子に対して確立された技術的制約及び時間的制約に基づいて、計算されうる。
一例として、発電機の特性曲線は、観測時間ウインドウＴＯＷが開始する瞬間ｔＳに対して設定された出力、前記発電機に対して予測される最大出力、及び前記発電機がそれ自体の出力を供給し調整しうる設定点調整レベルの数に基づいて計算されうる。
【００６８】
好ましくは、第１のグリッド素子に対して計算された特性曲線は、ΔＰｉ（ｒ）＝Ａｉ＋Ｂｉｒとして定義されうる線形関数であり、上記式において、係数Ａｉ、Ｂｉは、第１のグリッド素子に対して確立された設定点、技術的制約及び時間的制約によって変わる。
本発明の実際の実装態様では、第１のグリッド素子ＣＤ１、．．．、ＣＤＮに対して計算された特性曲線は、記憶媒体に記憶されうる値の表から有利に構成されうる。
【００６９】
一般的なチェックの瞬間において一般的な第１のグリッド素子ＣＤ１、．．．、ＣＤＮの特性曲線の一例を、図１１Ａ〜１１Ｂに概略的に提示する。
コンベンションとして、「ジェネレータコンベンション」は、言及した図面に示す曲線に適応される。しかしながら、反対の「ロードコンベンション」が適応可能である。
【００７０】
図１１Ａに、電力の正変動の一般的なチェックの瞬間における、一般的な第１のグリッド素子ＣＤ１、．．．、ＣＤＮの特性曲線を示す。
図１１Ｂに、電力の負変動の一般的なチェックの瞬間における、一般的な第１のグリッド素子ＣＤ１、．．．、ＣＤＮの特性曲線を示す。
【００７１】
上記から簡単に理解できるように、各第１のグリッド素子ＣＤ１、．．．、ＣＤＮの△Ｐ−ｒ基準系の特性曲線は、前記第１のグリッド素子の動作条件によって１つのチェックの瞬間から別の瞬間へ変化しうる。
更に、前記特性曲線は、前記第１のグリッド素子の種類によって、すなわち前記第１のグリッド素子がドライバ、オン／オフロード、バッテリ、コンデンサバンク、電流又は電圧発生器等であるか否かによって変化しうる。
【００７２】
上述した第１のシーケンスのステップによれば、制御手順４０は、配電グリッド１００の△Ｐ−ｒ基準系の特性曲線を計算するステップ４１２を含む。
制御手順４０のステップ４１２は、各チェックの瞬間ｔＣにおいて、配電グリッド１００の動作が△Ｐ−ｒ基準系の特性曲線によって表されうる事実に基づくものである。この場合、△Ｐは第１のグリッド素子ＣＤ１、．．．、ＣＤＮ（好ましくはチェックの瞬間ｔＣにおいて活動している第１のグリッド素子ＣＤ１、．．．、ＣＤＮ）の設定点を変えることによる、配電グリッド１００の利用可能な（正又は負の）電力の変動であり、ｒは配電グリッド１００に割り当てられた優先順位である。
【００７３】
△Ｐ−ｒ基準系の配電グリッド１００の特性曲線は、第１のグリッド素子ＣＤ１、．．．、ＣＤＮ（好ましくはチェックの瞬間ｔＣにおいて活動している第１のグリッド素子ＣＤ１、．．．、ＣＤＮ）に対して計算された特性曲線に基づいて計算されうる。
一般的なチェックの瞬間における配電グリッド１００の特性曲線の一例は、概略的に図１２に提示されている。簡単に理解できることであるが、図示した特性曲線は、△Ｐ−ｒ基準系の３つの第１のグリッド素子ＣＤ１、ＣＤ２，ＣＤ３に対して計算された特性曲線を結合させることによって（例えば集計することによって）取得される。
【００７４】
第１のグリッド素子に関しては、配電グリッド１００の△Ｐ−ｒ基準系の特性曲線は、第１のグリッド素子ＣＤ１、．．．、ＣＤＮの動作条件によって、またどの第１のグリッド素子がチェックの瞬間ｔＣに活動しているかによって１つのチェックの瞬間から別の瞬間へ変化しうる。
上述した第１のシーケンスのステップによれば、制御手順４０は、チェックの瞬間ｔＣにおける配電グリッド１００の優先レベルλを計算するステップ４１３を含む。
【００７５】
優先レベルλは、制御手順４０のステップ４１０〜４１２において計算されたデータに基づいて、特に要求電力変動値△ＰＲＥＱ、及び第１のグリッド素子ＣＤ１、．．．、ＣＤＮ（好ましくはチェックの瞬間ｔＣにおいて活動している第１のグリッド素子ＣＤ１、．．．、ＣＤＮ）に対して、また配電グリッド１００に対して計算された特性曲線に基づいて有利に計算される。
本発明の可能な実際的実装態様によれば、チェックの瞬間ｔＣにおける優先レベルλは、要求電力変動値△ＰＲＥＱに基づいて配電グリッド１００の特性曲線で（周知の補間アルゴリズムを用いることによって）幾何学的に識別される。
【００７６】
実際には、上記方法によれば、チェックの瞬間ｔＣにおける優先レベルλ（ｔＣ）は、配電グリッド１００に対して計算された△Ｐ−ｒ基準系の特性曲線のチェックの瞬間ｔＣにおいて計算された、要求電力変動値△ＰＲＥＱ（ｔＣ）に対応する優先順位の値である（図１２）。
本発明の代替的な実際的実装態様によれば、優先レベルλは、第１のグリッド素子ＣＤ１、．．．、ＣＤＮ（好ましくはチェックの瞬間ｔＣにおいて活動している第１のグリッド素子ＣＤ１、．．．、ＣＤＮ）を含む最適化問題を解くことによって計算される。
【００７７】
前記最適化問題は有利に、前記第１のグリッド素子に対して計算された特性曲線に基づいて、また要求電力変動値△ＰＲＥＱに基づいて、観測時間ウインドウＴＯＷが開始する瞬間ｔＳにおいて前記第１のグリッド素子に対して確立された設定点に基づいて定義されうる。
一例として、前記最適化問題は、以下の関係によって表されうる。
2018050447.tif 000004
上記式において、Ｗｉ（ΔＰｉ）は、ｉ番目の第１のグリッド素子に対する△Ｐ−ｒ基準系の加重特性曲線であり、ΔＰｉは、前記ｉ番目の第１のグリッド素子に対する電力設定点であり、Ｎは第１のグリッド素子（好ましくはチェックの瞬間ｔＣにおいて活動している第１のグリッド素子）の数である。
【００７８】
上述したように、ｉ番目の第１のグリッド素子の△Ｐ−ｒ基準系の特性曲線は、ΔＰｉ（ｒ）＝Ａｉ＋Ｂｉｒタイプの線形関数であり、係数Ａｉ、Ｂｉは、前記第１のグリッド素子に対して確立された設定点、技術的制約及び時間的制約によって変わる。
上述した最適化問題の制約は、観測時間ウインドウＴＯＷが終了する瞬間ｔＥに消費目標値ＥＣＴＶに達するべきであるという事実により、第１のグリッド素子（好ましくはチェックの瞬間ｔＣにおいて活動している第１のグリッド素子）に対して確立された技術的制約、及び配電グリッド１００の動作に関する制約を含みうる。
【００７９】
これら後者の制約は、下記の関係によって表されうる。
2018050447.tif 000005
上記式において、△ＰＲＥＱは制御手順４０のステップ４１０において配電グリッド１００に対して計算されたチェックの瞬間ｔＣにおいて要求される電力変動値であり、△Ｐｉは観測時間ウインドウＴＯＷが終了する前の残留時間間隔ｔＥ−ｔＣにおいてｉ番目の第１のグリッド素子によって付与されうる電力の変動である。
上述した最適化問題を表す異なる方程式のセットは、例えば周知のＩＬＭ（反復ラムダ方式）アルゴリズムを用いることによって簡単に解くことができる。
【００８０】
配電グリッド１００の優先レベルλの計算の次に、手段４０は、第１のグリッド素子ＣＤ１、．．．、ＣＤＮ（好ましくはチェックの瞬間ｔＣにおいて稼働している第１のグリッド素子ＣＤ１、．．．、ＣＤＮ）の設定点に介入することを提供する。
上述した第１のシーケンスのステップによれば、制御手順４０は、第１のグリッド素子ＣＤ１、．．．、ＣＤＮ（好ましくはチェックの瞬間ｔＣにおいて活動している第１のグリッド素子ＣＤ１、．．．、ＣＤＮ）の設定点を変更するための制御信号ＣＯＮを供給するステップ４１４を含む。
【００８１】
制御信号ＣＯＮは、制御手段４０の上述したステップ４１３で計算された、チェックの瞬間ｔＣにおける配電グリッド１００の優先レベルλに情報を提供する。
制御信号ＣＯＮに応じて、第１のグリッド素子ＣＤ１、．．．、ＣＤＮは、△Ｐ−ｒ基準系の第１のグリッド素子ＣＤ１、．．．、ＣＤＮの特性曲線に従った挙動を見せるようになる（図１１Ａ）。
【００８２】
図１１Ａに、（要求される）電力の正変動（△ＰＲＥＱ＞０）における、一般的な第１のグリッド素子ＣＤ１、．．．、ＣＤＮの特性曲線を示す。
前記特性曲線によれば、一般的な第１のグリッド素子の挙動は以下の通りである。
−  配電グリッド１００の優先レベルλが、前記第１のグリッド素子の設定点に付与される最低優先レベルｒＭＩＮ以下である場合（すなわちλ＜＝ｒＭＩＮであるときに）、前記第１のグリッド素子はそれ自体の設定点を変更しない。
−  優先レベルλが、前記第１のグリッド素子の設定点に付与される最高優先レベルｒＭＡＸ以上である場合（すなわちλ＜＝ｒＭＡＸであるときに）、前記第１のグリッド素子は、前記グリッド素子の技術的制約を考慮して利用可能な電力の最大正変動△ＰＭＡＸを得るためにそれ自体の設定点を変更する。
−  優先レベルλが、前記第１のグリッド素子の設定点に付与される最低及び最高優先レベルｒＭＩＮ、ｒＭＡＸの間に含まれる場合（すなわちｒＭＩＮ＜λ＜ｒＭＡＸ）、前記第１のグリッド素子は、前記優先レベルλに対応する電力の（正）変動△Ｐλを得るためにそれ自体の設定点を変更する。
【００８３】
図１１Ｂに、（要求される）電力の負変動（△ＰＲＥＱ＜０）における一般的な第１のグリッド素子ＣＤ１、．．．、ＣＤＮの特性曲線を示す。
前記特性曲線によれば、一般的な第１のグリッド素子の挙動は下記のようになる。
−  優先レベルλが、前記第１のグリッド素子の設定点に付与される最低優先レベルｒＭＩＮ以下である場合（すなわちλ＜＝ｒＭＩＮであるときに）、前記第１のグリッド素子は、前記グリッド素子の技術的及び時間的な制約を考慮して利用可能な電力の最大正変動△ＰＭＡＸを得るためにそれ自体の設定点を変更する。
−  優先レベルλが、前記第１のグリッド素子の設定点に付与される最高優先レベルｒＭＡＸ以上である場合（すなわちλ＞＝ｒＭＡＸ）、前記第１のグリッド素子はそれ自体の設定点を変更しない。
−  優先レベルλが、前記第１のグリッド素子の設定点に付与される最低及び最高優先レベルｒＭＩＮ、ｒＭＡＸの間に含まれる場合（すなわちｒＭＩＮ＜λ＜ｒＭＡＸ）、前記第１のグリッド素子は、前記優先レベルに対応する電力の（負）変動△Ｐλを得るためにそれ自体の設定点を変更する。
【００８４】
ステップ４１４において制御手順４０が終了し、制御手順４０は次のチェックの瞬間ｔＣ＋△ＴＳにおいて実行される。
本発明の好ましい実施形態によれば、上記第１の収束基準が計算された消費予測値ＥＣＦＶを満たさず、第１のグリッド素子ＣＤ１、．．．、ＣＤＮの設定点が、観測時間ウインドウＴＯＷの間のチェックの瞬間ｔＣの前にすでに少なくとも１回は変更されている場合、制御手順４０は、第１のグリッド素子ＣＤ１、．．．、ＣＤＮの設定点を変更するステップ４１５〜４２１の第２のシーケンスを提供する。
【００８５】
観測時間ウインドウＴＯＷの間、すなわちチェックの瞬間ｔＣに先立つ瞬間ｔＰ＝ｔＣ−△ＴＩに、一又は複数の第１のグリッド素子ＣＤ１、．．．、ＣＤＮの設定点がすでに変更されている幾つかの状況を示す図９Ａ〜９Ｂ、１０Ａ〜１０Ｂを参照する。
図９Ａ〜９Ｂにおいて、消費予測値ＥＣＦＶがチェックの瞬間ｔＣにおいて、チェックの瞬間ｔＣに先立つ瞬間ｔＰ＝ｔＣ−△ＴＩにおける第１のグリッド素子の設定点への介入にもかかわらず、条件｛ＥＣＦＶ＞Ｅ１；ＥＣＦＶ＞Ｅ２｝をいまだ満たす状況を示す。上記状況は、上述した第１の収束基準を満たさない。
【００８６】
図１０Ａ〜１０Ｂでは、消費予測値ＥＣＦＶがチェックの瞬間ｔＣにおいて、チェックの瞬間ｔＣに先立つ瞬間ｔＰ＝ｔＣ−△ＴＩにおける第１のグリッド素子の設定点への介入にもかかわらず、条件｛ＥＣＦＶ＜Ｅ１；ＥＣＦＶ＜Ｅ２｝をいまだ満たす状況を示す。また、上記状況は上述した第１の収束基準も満たさない。
上記の状況において、制御手順４０は、上述した第２のシーケンスのステップ４１５〜４２１を実行して、第１のグリッド素子ＣＤ１、．．．、ＣＤＮの設定点を変更することを提供する。
【００８７】
制御手順４０は、消費予測値ＥＣＦＶが、チェックの瞬間ｔＣに、消費目標値ＥＣＴＶに対して（前記第１の収束基準とは異なる）第２の収束基準を満たすか否かをチェックするステップ４１５を含むことが好ましい。
好ましくは、前記第２の収束基準によれば、消費予測値ＥＣＦＶはチェックの瞬間ｔＣにおいて下記条件：
｛ＥＣＦＶ＞＝Ｅ１；ＥＣＦＶ＜＝Ｅ３｝又は｛ＥＣＦＶ＜＝Ｅ２；ＥＣＦＶ＞＝Ｅ４｝
を満たさなければならない。
上記式において、Ｅ１、Ｅ２（Ｅ１＞Ｅ２が成り立つ）はそれぞれ、上述した第１の収束基準によって考慮される第１及び第２の既定境界値であり、Ｅ３、Ｅ４はそれぞれ、第３と第４の既定境界値であり、Ｅ３＞Ｅ１及びＥ４＜Ｅ２が成り立つ。
【００８８】
好ましくは、第３及び第４の既定の境界値Ｅ３、Ｅ４は、チェックの瞬間ｔＣに先立つ瞬間ｔＰ＝ｔＣ−△ＴＩにおいて計算された消費予測値ＥＣＦＶによって変化する。
一例として、第３及び第４の既定の境界値Ｅ３、Ｅ４はチェックの瞬間ｔＣにおいて、下記の関係：
2018050447.tif 000006
に従って計算されうる。
上記のＥＣＦＶ（ｔＰ）において、ＥＣＴＶはそれぞれ瞬間ｔＰ＝ｔＣ−△ＴＩにおいて計算された消費予測値ＥＣＦＶ、及び観測時間ウインドウＴＯＷが終了する瞬間ｔＥにおける消費目標値である。
【００８９】
実際には、ステップ４１５において、制御手順４０は、瞬間ｔＰ＝ｔＣ−△ＴＩにおける第１のグリッド素子の設定点への介入にも関わらずいまだ第１の許容域ＴＲ１外にある消費予測値ＥＣＦＶが、消費目標値ＥＣＴＶに収束するようにする追加の既定の境界Ｂ３、Ｂ４によって定義される第２の許容域ＴＲ２内にあるか、又は第３の許容域ＴＲ３にあるか否かをチェックすることを提供する。
前記既定の境界は、第１のグリッド素子ＣＤ１、．．．、ＣＤＮへ更に介入することなく消費目標値ＥＣＴＶに達するようにする最高及び最低の消費予測微分値のシーケンスを示すものである。
【００９０】
前記既定の境界を、消費目標値ＥＣＴＶに収束する境界線Ｂ３、Ｂ４を一致させ、チェックｔＰにおいて計算された消費目標値ＥＣＦＶと消費目標値ＥＣＴＶとを観測時間ウインドウＴＯＷが終了する瞬間ｔＥにおいて交差させることによって概略的に示す図９Ａ〜９Ｂ、１０Ａ〜１０Ｂを参照する。
消費予測値ＥＣＦＶが下記条件：｛ＥＣＦＶ＞Ｅ１；ＥＣＦＶ＞Ｅ３｝を満たす状況を示す、図９Ａを参照する。
【００９１】
この条件は、上述した第２の収束基準を満たさない。従って、観測時間ウインドウＴＯＷが終了する瞬間ｔＥに消費目標値ＥＣＴＶに達するように、一又は複数の第１のグリッド素子ＣＤ１、．．．、ＣＤＮの設定点を変更することが必要になる。
更に具体的には、消費予測値ＥＣＦＶが、瞬間ｔＰおける設定点への以前の介入に関わらず、第２の許容域ＴＲ２に対して高すぎるときに、観測時間ウインドウＴＯＷが終了する前の残留時間間隔ｔＥ−ｔＣにおいて配電グリッドの消費が更に削減されるように、一又は複数の第１のグリッド素子ＣＤ１、．．．、ＣＤＮの設定点を変更することが必要になる。
【００９２】
消費予測値ＥＣＦＶが下記の条件：｛ＥＣＦＶ＞Ｅ１；ＥＣＦＶ＜Ｅ３｝を満たす状況を示す図９Ｂを参照する。
この条件は、上述した第２の収束基準を満たすものである。従って、観測時間ウインドウＴＯＷが終了する瞬間ｔＥに消費目標値ＥＣＴＶに達するように、第１のグリッド素子ＣＤ１、．．．、ＣＤＮの設定点を更に変更する必要がない。消費予測値ＥＣＦＶが第２の許容域ＴＲ２内にあるときに、配電グリッド１００の消費は、チェックの瞬間ｔＣに先立つ瞬間ｔＰ＝ｔＣ−△ＴＩにおいて実施された第１のグリッド素子の設定点への介入のおかげで、すでに消費目標値ＥＣＴＶに収束している。
【００９３】
消費予測値ＥＣＦＶが下記の条件：｛ＥＣＦＶ＜Ｅ２；ＥＣＦＶ＜Ｅ４｝を満たす状況を示す図１０Ａを参照する。
この条件は、上述した第２の収束基準を満たさない。従って、観測時間ウインドウＴＯＷが終了する瞬間ｔＥに消費目標値ＥＣＴＶに達するように、一又は複数の第１のグリッド素子ＣＤ１、．．．、ＣＤＮの設定点を変更することが必要になる。
【００９４】
更に具体的には、消費予測値ＥＣＦＶが、瞬間ｔＰおける設定点への以前の介入に関わらず、第２の許容域ＴＲ２に対して低すぎるときに、観測時間ウインドウＴＯＷが終了する前の残留時間間隔ｔＥ−ｔＣに配電グリッドの消費が更に増加するように、第１のグリッド素子ＣＤ１、．．．、ＣＤＮの設定点を変更することが可能である。
【００９５】
消費予測値ＥＣＦＶが下記の条件：｛ＥＣＦＶ＜Ｅ２；ＥＣＦＶ＞Ｅ４｝を満たす状況を示す図１０Ｂを参照する。
この条件は、上述した第２の収束基準を満たすものである。従って、観測時間ウインドウＴＯＷが終了する瞬間ｔＥにおいて消費目標値ＥＣＴＶに達するように、第１のグリッド素子ＣＤ１、．．．、ＣＤＮの設定点を更に変更する必要がない。消費予測値ＥＣＦＶが第２の許容域ＴＲ２内にあるときに、配電グリッド１００の消費は、チェックの瞬間ｔＣに先立つ瞬間ｔＰ＝ｔＣ−△ＴＩにおいて実施された第１のグリッド素子の設定点への介入のおかげで、すでに消費目標値ＥＣＴＶに収束している。
【００９６】
計算された消費予測値ＥＣＦＶが上記の第２の収束基準を満たす場合、制御手順４０は、第１のグリッド素子ＣＤ１、．．．、ＣＤＮの設定点を変えずに維持するステップ４１６を含むことが好ましい。この場合、制御手順４０は終了し、次のチェックの瞬間ｔＣ＋△ＴＳにおいて実行される。
計算された消費予測値ＥＣＦＶが上記の第２の収束基準を満たさない場合、制御手順４０は、第１のグリッド素子ＣＤ１、．．．、ＣＤＮの設定点を変更する幾つかのステップ４１７〜４２１を実行することを提供することが好ましい。制御手順４０のステップ４１７〜４２１は、上述したステップ４１０〜４１４と同様（実際に同一、準用）のものである。
【００９７】
制御手順４０は、観測時間ウインドウＴＯＷが終了する前の残留時間間隔ｔＥ−ｔＣに消費目標値ＥＣＴＶに達するために配電グリッドに要求される電力変動値△ＰＲＥＱを計算するステップ４１７を含むことが好ましい。
要求電力変動値△ＰＲＥＱは、消費目標値ＥＣＴＶに達するように観測電気ノードＰＣＣで消費されるべき電力を示すことが好ましい。
【００９８】
要求電力変動値△ＰＲＥＱは、上述したように計算されうる。
また、要求電力変動値△ＰＲＥＱは、第１の許容域ＴＲ１に対して消費予測値ＥＣＦＶが高すぎる（図９Ａ〜９Ｂ）又は低すぎる（図１０Ａ〜１０Ｂ）か否かによって、正になる又は負になる。
【００９９】
制御手順４０が、各第１のグリッド素子ＣＤ１、．．．、ＣＤＮに対して△Ｐ−ｒ基準系の特性曲線を計算するステップ４１８を含むことが好ましく、ここで△Ｐは利用可能な電力の変動であり、ｒは前記第１のグリッド素子の設定点に割り当てられた優先順位である。
記載された△Ｐ−ｒ基準系の特性曲線は、チェックの瞬間ｔＣにおいて活動している第１のグリッド素子ＣＤ１、．．．、ＣＤＮに対してのみ計算されることが好ましい。
【０１００】
各第１のグリッド素子ＣＤ１、．．．、ＣＤＮの特性曲線は、上述したように計算されうる。
第１のグリッド素子（好ましくはチェックの瞬間ｔＣにおいて活動している第１のグリッド素子）に対して計算された特性曲線が、ΔＰｉ（ｒ）＝Ａｉ＋Ｂｉｒとして定義されうる線形関数であることが好ましく、上記式において、係数Ａｉ、Ｂｉは、第１のグリッド素子に対して確立された設定点、技術的制約及び時間的制約によって変化する。
【０１０１】
制御手順４０は、チェックの瞬間ｔＣにおいて、配電グリッド１００の△Ｐ−ｒ基準系の特性曲線を計算するステップ４１９を含むことが好ましい。
配電グリッド１００の特性曲線は、上述したように計算されうる。
【０１０２】
制御手順４０は、チェックの瞬間ｔＣにおいて配電グリッド１００の優先レベルλを計算するステップ４２０を含むことが好ましい。
優先レベルλは、制御手順４０のステップ４１７〜４１９において計算されたデータに基づいて、具体的には、要求電力変動値△ＰＲＥＱ、及び第１のグリッド素子ＣＤ１、．．．、ＣＤＮに対し、また配電グリッド１００に対して計算された特性曲線に基づいて有利に計算される。
【０１０３】
チェックの瞬間ｔＣにおける配電グリッド１００の優先レベルλは、上述したように計算されうる。
配電グリッド１００の優先レベルλの計算後に、手順４０は、第１のグリッド素子（好ましくはチェックの瞬間ｔＣに活動している第１のグリッド素子）の設定点に更に介入することを提供する。
【０１０４】
制御手順４０は、第１のグリッド素子ＣＤ１、．．．、ＣＤＮ（好ましくはチェックの瞬間ｔＣにおいて活動しているグリッド素子）の設定点を変更するための制御信号ＣＯＮを提供するステップ４２１を含むことが好ましい。
制御信号ＣＯＮは、制御手順４０の上述したステップ４１３で計算された、チェックの瞬間ｔＣにおける配電グリッド１００の優先レベルλの情報を提供する。
【０１０５】
制御信号ＣＯＮに応じて、第１のグリッド素子ＣＤ１、．．．、ＣＤＮは、上述したように、△Ｐ−ｒ基準系のそれ自体の特性曲線に従った挙動を見せる（図１１Ａ〜１１Ｂ）。
ステップ４２１において、制御手順４０は終了し、制御手順４０は次のチェックの瞬間ｔＣ＋△ＴＳにおいて実行される。
【０１０６】
本発明の可能な実施形態によれば、計算された消費予測値ＥＣＦＶが上記の第１の収束基準を満たさず、第１のグリッド素子ＣＤ１、．．．、ＣＤＮの設定点が観測時間ウインドウＴＯＷの間にすでに少なくとも１回は変更されている場合、制御手順４０は単に終了し、制御手順４０は次のチェックの瞬間ｔＣ＋△ＴＳにおいて実行される。
実際には、本発明の上記代替実施形態は、観測時間ウインドウＴＯＷにおいて１回のみ、第１のグリッド素子ＣＤ１、．．．、ＣＤＮの設定点に介入することを提供する。
【０１０７】
方法１が、観測時間ウインドウＴＯＷが終了する瞬間ｔＥに配電グリッド１００の優先レベルλを設定するステップ５を含むことが好ましい。
本発明のある実施形態によれば、上記優先レベルλは、各観測時間ウインドウＴＯＷの終了時（次の観測時間ウインドウＴＯＷの開始時）に設定されるべき既定値でありうる。
【０１０８】
本発明の他の実施形態によれば、上記優先レベルλは、第１のグリッド素子ＣＤ１、．．．、ＣＤＮの設定点への最後の介入において計算された優先レベルでありうる。
本発明のある実施形態によれば、方法１は、観測時間ウインドウＴＯＷが終了する瞬間ｔＥに、第１のグリッド素子ＣＤ１、．．．、ＣＤＮの設定点を対応する既定値に設定するための制御信号ＣＯＮを提供するステップ６Ａを含む。
【０１０９】
実際には、本発明のこれらの実施形態は、第１のグリッド素子ＣＤ１、．．．、ＣＤＮの設定点を、観測時間ウインドウＴＯＷの終了時に再設定することを提供する。
本発明の代替実施形態によれば、方法１は、観測時間ウインドウＴＯＷが終了する瞬間ｔＥにおける第１のグリッド素子ＣＤ１、．．．、ＣＤＮの設定点を変えずに維持するステップ６Ｂを含む。
【０１１０】
実際には、本発明の上記代替実施形態は、第１のグリッド素子ＣＤ１、．．．、ＣＤＮの設定点を、第１のグリッド素子ＣＤ１、．．．、ＣＤＮの設定点への最後の介入におけるセットとして維持することを提供する。
本発明に係る方法は、具体的にはコンピュータ化されたデバイス３００によって実行される。
【０１１１】
別の態様では、本発明は従って、本発明に係る方法を実施するためのソフトウェア命令を含むコンピュータプログラム３５０に関する。
コンピュータプログラム３５０は、例えばコンピュータ化されたデバイス３００のメモリの記憶媒体に保存される又は保存可能である。
【０１１２】
別の態様では、本発明は更に、本発明に係る方法を実施するためのソフトウェア命令を実行するように構成されたコンピュータ化されたリソース（例：一又は複数のマイクロプロセッサ）を含むコンピュータ化されたデバイス３００に関する。
コンピュータ化されたデバイス３００は、現場に、あるいは配電グリッド１００に対する遠隔地に設置されたコンピュータ化されたデバイスであってよい。
【０１１３】
一例として、コンピュータ化されたデバイス３００は、搭載型スイッチング装置に設置された制御・保安ユニット、又は配電グリッド又はコントローラ用のデジタル継電器であってよい。
別の態様では、本発明は、本発明に係る方法を実行するように構成されたハードウェア及びソフトウェアリソースを含む制御装置２００に関する。
【０１１４】
制御装置２００は、様々な制御アーキテクチャ、例えば集中型アーキテクチャ又はマルチレベルアーキテクチャに従って配置されうる。
一例として、図１に示すように、制御装置は、本発明に係る方法を実施するためのソフトウェア命令を実行するように構成された処理リソースが備わったコントローラ３００を含みうる。
【０１１５】
当然ながら、上述したものとは異なった他の制御アーキテクチャを、必要に応じて適応させることが可能である。
本発明に係る方法は、配電グリッドの消費を管理するのにかなり効果的である。
【０１１６】
本発明に係る方法により、電力需要のピークを著しく低下させることが可能になる。
本発明に係る方法は特に、電流が流れている時間（例：時間帯）、エネルギー費用、より安価な電源の利用可能性などを考慮しながら、配電グリッドの動作を適切に管理するように適応される。
【０１１７】
本発明に係る方法は特に、必要に応じて、例えば集中型マルチレベル又は分散型制御アーキテクチャなどの様々な制御アーキテクチャによって実行されるように適応される。
本発明に係る方法は特に、配電グリッドの動作を管理するために現場にすでに設置されているハードウェア及びソフトウェアリソースを使用して実行されるように適応される。
【０１１８】
本発明に係る方法は特に、デジタル化で可能になる電力配電回路網（スマートグリッド、マイクログリッド等）で実行されるように適応される。
本発明に係る方法は、現場において比較的簡単で、コスト効率の高い実用的な実装態様の方法である。
【図１】
2018050447.tif 000007
【図２】
2018050447.tif 000008
【図３】
2018050447.tif 000009
【図４】
2018050447.tif 000010
【図５】
2018050447.tif 000011
【図６】
2018050447.tif 000012
【図７】
2018050447.tif 000013
【図８】
2018050447.tif 000014
【図９Ａ】
2018050447.tif 000015
【図９Ｂ】
2018050447.tif 000016
【図１０Ａ】
2018050447.tif 000017
【図１０Ｂ】
2018050447.tif 000018
【図１１Ａ】
2018050447.tif 000019
【図１１Ｂ】
2018050447.tif 000020
【図１２】
2018050447.tif 000021
【外国語明細書】
2018050447000001.pdf
2018050447000002.pdf
2018050447000003.pdf
2018050447000004.pdf